(57)【要約】      （修正有）【課題】残存するボルトや既設壁材の重なりを回避し、リフォーム材を正確に設置位置決めすることが可能なリフォーム用ウォールカバーの設置構造を提供する。【解決手段】既設の波板壁材１の表面を覆うためのリフォーム用ウォールカバー１０の設置構造であって、リフォーム用ウォールカバー１０は既設の波板壁材１の端部より４番目の山部分に対応して設置され、既設の波板壁材１の複数の山を同時に覆う平坦な突面１１と、その突面１１間の谷底面１２も平坦な形状としてあり、谷底面１２にビスで既存胴縁２に固定してある。【選択図】図３
0003228660.tif 000002
【実用新案登録請求の範囲】
【請求項１】
既設の波板壁材の表面を覆うためのリフォーム用ウォールカバーの設置構造であって、そのリフォーム用ウォールカバーは既設の波板壁材の端部より４番目の山部分に対応して設置され、既設の波板壁材の複数の山を同時に覆う平坦な突面と、その突面間の谷底面も平坦な形状としてあり、この谷底面にビスで既存胴縁に固定してあることを特徴とするリフォーム用ウォールカバーの設置構造。
【請求項２】
前記したリフォーム用ウォールカバーの端縁は、前記した谷底面に対応し、ビス装着時の跳ね上げを防止するために下方に向けて傾斜した構成としてあることを特徴とする請求項１に記載のリフォーム用ウォールカバーの設置構造。
【請求項３】
前記した谷底面は、割付寸法の誤差を解消するための寸法調整代が設けられていることを特徴とする請求項１または２に記載のリフォーム用ウォールカバーの設置構造。
【請求項４】
前記したリフォーム用ウォールカバーは前記した突面が、既設の波板壁材の端部から順に山部分を２つ、４つ、４つ、を覆う形状とされていることを特徴とする請求項１から３のうち１項に記載のリフォーム用ウォールカバーの設置構造。
【請求項５】
前記したリフォーム用ウォールカバーは前記した突面が、既設の波板壁材の端部から山部分を２つ、３つ、５つ、を覆う形状とされていることを特徴とする請求項１から３のうち１項に記載のリフォーム用ウォールカバーの設置構造。
【請求項６】
前記したリフォーム用ウォールカバーは前記した突面が、既設の波板壁材の端部から山部分を５つ、５つ、を覆う形状とされていることを特徴とする請求項１から３のうち１項に記載のリフォーム用ウォールカバーの設置構造。
【請求項７】
前記したリフォーム用ウォールカバーの設置には、その全体の端部にスターターが用いられていることを特徴とする請求項１から６のうち１項に記載のリフォーム用ウォールカバーの設置構造。
【考案の詳細な説明】
【技術分野】
【０００１】
本考案は、波板で形成されている壁材のリフォーム用ウォールカバーの設置構造に関する。
【背景技術】
【０００２】
従来、上記したリフォームには直接工法と間接工法の二種が知られている。間接工法は既設の壁下地の鉄骨胴縁に、既設の波板材の表面から新規の胴縁材をビス等の要素で固定し、その新規の胴縁にリフォーム用としての新外装材を取り付けることが主流となっている。
【０００３】
この工法は二重壁工法として広幅の空気層が形成され、その結果断熱性が向上する。しかし、この工法によると新外装材の見込み寸法分が既存壁より膨らむこととなり、既存の窓やドア等の開口部及び吸排水設備等の取り合い部（雨仕舞）の施工に難点が出る。また、専用部材材料費及び取り合い部材料費等が増えコスト高となってしまう。
【０００４】
また、直接工法は、既設の波板材の上から鋼板等の新壁材（リフォーム材）を既存の胴縁にビス等を用いて貫通固定する工法であり、間接工法に比べ、はるかに既存の開口部や雨仕舞の施工は容易となる。
【０００５】
しかしながら、この直接工法においても既存のフックボルトの余長部分（頭部）を切断するが、フックボルト自体は残存する。また、波板材は重ね工法で施工するので、その重なり部分に段差（膨らみ）が発生する。そのため、単純な重ね工法だと施工あばれ現象（凹凸仕上げ）が発生する。そのため、残存したフックボルトの位置を避けること、そして波板材の重なり部分を避けることで施工あばれ（現象）が回避される。
即ち、リフォーム材（ウォールカバー）の正確な設置位置決めが施工の要諦となる。
【先行技術文献】
【特許文献】
【０００６】
出願人は、本願考案について先行する技術文献を調査したが、本件に関連し、類似していると思われる文献は発見できなかった。
【考案の概要】
【考案が解決しようとする課題】
【０００７】
本考案が解決しようとする問題点は、直接工法を採用した時に、残存するボルトや既設壁材の重なりによってリフォーム材を正確に設置位置決めすることが困難であり、また、ウォールカバーの端縁がビス等で押えられた際に跳ね上がってしまうという点及び既設の波板材が標準働き寸法に仕上げられておらず、施工時に不適合が生じてしまうという点である。
【課題を解決するための手段】
【０００８】
上記した問題点を解決するため、本考案に係るリフォーム用ウォールカバーの設置構造は、既設の波板壁材の表面を覆うためのリフォーム用ウォールカバーの設置構造であって、そのリフォーム用ウォールカバーは既設の波板壁材の端部より４番目の山部分に対応して設置され、既設の波板壁材の複数の山を同時に覆う平坦な突面と、その突面間の谷底面も平坦な形状としてあり、この谷底面にビスで既存胴縁に固定してあることを特徴としている。
【０００９】
また、本考案に係るリフォーム用ウォールカバーの設置構造は、前記したリフォーム用ウォールカバーの端縁は、前記した谷底面に対応し、ビス装着時の跳ね上げを防止するために下方に向けて傾斜した構成としてあることを特徴としている。
【００１０】
さらに、本考案に係るリフォーム用ウォールカバーの設置構造は、前記した谷底面は、割付寸法の誤差を解消するための寸法調整代が設けられていることを特徴としている。
【００１１】
そして、本考案に係るリフォーム用ウォールカバーの設置構造は、前記したリフォーム用ウォールカバーは前記した突面が、既設の波板壁材の端部から順に山部分を２つ、４つ、４つ、を覆う形状とされていることを特徴としている。
【００１２】
また、本考案に係るリフォーム用ウォールカバーの設置構造は、前記したリフォーム用ウォールカバーは前記した突面が、既設の波板壁材の端部から山部分を２つ、３つ、５つ、を覆う形状とされていることを特徴としている。
【００１３】
さらに、本考案に係るリフォーム用ウォールカバーの設置構造は、前記したリフォーム用ウォールカバーは前記した突面が、既設の波板壁材の端部から山部分を５つ、５つ、を覆う形状とされていることを特徴としている。
【００１４】
そして、本考案に係るリフォーム用ウォールカバーの設置構造は、前記したリフォーム用ウォールカバーの設置には、その全体の端部にスターターが用いられていることを特徴としている。
【考案の効果】
【００１５】
本考案に係るリフォーム用ウォールカバーの設置構造は上記のように構成されている。既設の波板材は標準的に山が１１個連続し、１２個目が途中でカットされており、１１個目と１２個の途中部分に続く波板材が重合される。また、胴縁（Ｃチャンネル）に対し、フックボルトは２つ目の山から始まり５個置きに止着されている。そのため、既設の波板材の４つ目の山から対応させてウォールカバーを設置する構造とすることで、既存のフックボルト及び重なり部分を回避することができ、正確な位置決めがなされ、精緻な施工設置ができることとなる。
【００１６】
また、ウォールカバーの端縁には下方に向けて傾斜させてあるため、ビスでの押圧力を受けた際にその端縁の跳ね上がりを吸収防止する。また、寸法調整代を設けてあるため、既設の波板材が標準とあっていなくともその誤差を調整することができ、精緻な施工設置ができる。
【図面の簡単な説明】
【００１７】
【図１】ウォールカバーの端縁構造を示す図であり、（Ａ）は正面図、（Ｂ）は要部拡大図である。
【図２】ウォールカバーの谷底面を示す図である。
【図３】第一実施例として、既設波板の山を２つ、４つ、４つ覆う例を示す図である。
【図４】同斜視図である。
【図５】第二実施例として、既設波板の山を２つ、３つ、５つ覆う例を示す図である。
【図６】同斜視図である。
【図７】第三実施例として既設波板の山を５つ、５つ覆う例を示す図である。
【図８】同斜視図である。
【図９】従来のウォールカバーの端縁の跳ね上がりを示す図であり、（Ａ）は正面図、（Ｂ）は要部拡大図である。
【考案を実施するための形態】
【００１８】
図面として示し、実施例で説明したように構成したことで実現した。
【実施例１】
【００１９】
次に、本考案の好ましい実施の一例を図面を参照して説明する。図中１は既設の波板材を示しており、この波板材１は標準として１山当たりの働き寸法は６３５ｍｍとなっており、全体幅は７２０ｍｍとなっており、この波板材１は途中カットされる１２番目の山及び１１番目の山の部分で隣接する波板材が重合され、端部より２番目の山から重合部分も含めて５山ピッチごとにフックボルト３、３によって胴縁（Ｃチャンネル）２に対し固着されている。
【００２０】
図中１０は第一のウォールカバーを示しており、この第一のウォールカバー１０は、既設の波板材１の端部より４番目の山に対応して設置されている。この第一のウォールカバー１０は端から波板材１の山を順に２つ、４つ、４つと覆う平坦な突面１１、１１‥を有しており、この各突面１１、１１‥間に平坦な谷底面１２、１２‥を形成しているもので、この谷底面１２、１２‥に対してビス１４が胴縁２に対して螺着され固定される。この第一のウォールカバー１０の設置に先立ってフックボルト３、３‥の頭部余長部分は切断されている。
【００２１】
また、前記したように波板材１の端部より４番目の山に対応して設置を行なうため、施工の当初にスターター１３によって既設の波板材１の最端から３つの山を覆い、施工終了後もこのスターター１３は残され、既設の波板材１の端部を覆う仕上げ材として作用する。このスターター１３は第一のウォールカバーと同質のものとなっている。
【００２２】
ここで、従前のウォールカバーの設置構造を、図９を参照して説明する。従前のウォールカバーの端縁Ｅはフラットに形成されているため、ビス１４の締着押圧力により、その応力で端縁Ｅが跳ね上がってしまうこととなる。
【００２３】
上記した点を解消するため、本実施例におけるウォールカバー１０は、端縁Ｅは下方に向けて（壁方向に向けて）鈍角をもって傾斜した構成としてある。本実施例ではこの鈍角は約１６０度を想定している。そのためビス１４による締着前は突面１１も、その角度を形成した分浮いた状態となっている。ビス１４による締着がなされると、その押圧力で鈍角は約１７０度程度（略水平）となり、突面１１の浮き状態も解消する、
【００２４】
また、既設の波板材１は標準働き寸法（６３５ｍｍ）になっていないことが多く、数ｍｍの差が生じている。従って、ウォールカバー１０を標準寸法で製作した場合に、誤差が生じ、施工時の不適合が発生してしまう。そこで、本実施例では谷底面１２に約１０ｍｍの調整代を設けてあり、ビス１４の締着位置を、位置をずらし、完全な合体仕上げをできるように図っている。これによって凹凸のない平滑な仕上がりとなり、美感を確保できる。
【実施例２】
【００２５】
次に図５、図６を用いて第二実施例を説明する。尚、第一実施例と共通する部分は同一の符号を付して詳細な説明は省略する。図中１０ａは第二のウォールカバーを示しており、この第二のウォールカバー１０ａは既設の波板材１の端部より４番目の山に対応して設置されている。この第二のウォールカバー１０ａは端から波板材１の山を順に２つ、３つ、５つと覆う平坦な突面１１ａ、１１ａを有しており、この各突面１１ａ、１１ａ‥間に平坦な谷底面１２ａ、１２ａ‥を形成しているもので、この谷底面１２ａ、１２ａに対してビス１４が胴縁２に対して螺着されて固定される。この第二のウォールカバー１０ａの設置に先立ってフックボルト３、３‥の頭部余長部分は切断されている。
【００２６】
この第二実施例における第二のウォールカバー１０ａは、前記した第一のウォールカバー１０と共々突面を均等割ではなく突面１１ａ、あるいは１１を三条形成しているが幅の寸法に差異を設けてあることで、アクセントを付け、外観的にリズミカルな美感を演出することができる。
【実施例３】
【００２７】
続いて、図７、図８を用いて第三実施例を説明する。尚、第一実施例、第二実施例と共通する部分は同一の符号を付して詳細な説明は省略する。図中１０ｂは第三のウォールカバーを示しており、この第三のウォールカバー１０ｂは既設の波板材１の端部より４番目の山に対応して設置されている。この第三のウォールカバー１０ｂは波板材１の山を順に５つ、５つと覆う平坦な突面１１ｂ、１１ｂを有しており、この各突面１１ｂ、１１ｂ間に平坦な谷底面１２ｂ、１２ｂを形成しているもので、この谷底面１２ｂ、１２ｂに対してビス１４が胴縁２に対して螺着されて固定される。この第三のウォールカバー１０ｂの設置に先立ってフックボルト３、３‥の頭部余長部分は切断されている。
【００２８】
この第三実施例におけるウォールカバー１０ｂは突面を均等割構造となっており、安定した外観を得られるものとなっている。
【００２９】
前記した第二実施例、第三実施例にあっても第一実施例と同様にスターター１３が使用され、跳ね上がり防止構造や寸法調整代の設置は同様に実施されている。また、各実施例ともにウォールカバーの素材は鋼板が使用され、生地材仕上げ及び化粧材仕上げが標準となっている。
【００３０】
本実施例におけるリフォーム用ウォールカバーの設置構造は上記のように構成されている。ウォールカバー１０、１０ａ、１０ｂはいずれもトータルで既設の波板材１の山を１０づつカバーして覆うものとなっており、単一のウォールカバーの使用に限らず、数種のウォールカバーを目的、好みに応じて組み合わせて使用することも可能となり、リフォーム後の壁面の美感を多様に演出することができる。
【００３１】
また、図で示したウォールカバー１０、１０ａ、１０ｂの形状にこだわらず、コーナーに丸みを帯びさせて、柔らかな外観とすることもでき、また表面表情（リブ加工）等の化粧仕上げも好みや要求に応じて自在に変更していくことも可能である。
【符号の説明】
【００３２】
１    既設の波板材
２    胴縁
３    フックボルト
１０、１０ａ、１０ｂ    ウォールカバー
１１、１１ａ、１１ｂ    突面
１２、１２ａ、１２ｂ    谷底面
１３    スターター
１４    ビス
Ｅ    端縁
【図１】
0003228660.tif 000003
【図２】
0003228660.tif 000004
【図３】
0003228660.tif 000005
【図４】
0003228660.tif 000006
【図５】
0003228660.tif 000007
【図６】
0003228660.tif 000008
【図７】
0003228660.tif 000009
【図８】
0003228660.tif 000010
【図９】
0003228660.tif 000011